(57)【要約】      （修正有）【課題】使用中の小物品の収納が容易に行え、家庭において、また、作業現場等において便利に使用される収納具を提供する。【解決手段】横長で内部を収納空間４とし、かつ、その長手方向に沿って横長の開口部７を備えるバッグ部３と、開口部の下縁に沿って外方に延び出すように設けられ、その上面に載置される物品を包み状態にできるシート部５からなり、物品を包み状態としたシート部が、開口部を通して収納空間内に収納されることを特徴とする。開口部が面ファスナー９と１８により閉じられ、バッグ部に持ち手６が設けられているのが好ましい。またシート部に、物品を包み状態とするための折り畳み線１５が設けられているのが好ましい。【選択図】図１
0003195435.tif 000002
【実用新案登録請求の範囲】
【請求項１】
横長で内部を収納空間とし、かつ、その長手方向に沿って横長の開口部を備えるバッグ部と、前記バッグ部の前記開口部の下縁に沿って外方に延び出すように設けられ、その上面に載置される物品を包み状態とできるシート部からなり、
前記物品を包み状態とした前記シート部が、前記開口部を通して前記収納空間内に収納されることを特徴とする収納具。
【請求項２】
前記開口部が面ファスナーにより閉じられることを特徴とする請求項１記載の収納具。
【請求項３】
前記バッグ部に持ち手が設けられてなることを特徴とする請求項１記載の収納具。
【請求項４】
前記シート部に、前記物品を包み状態とするための折り畳み線が設けられてなることを特徴とする請求項１記載の収納具。
【考案の詳細な説明】
【技術分野】
【０００１】  この考案は、家庭において、また、作業現場等において使用中の小物品の収納を行うように用いる収納具に関する。
【背景技術】
【０００２】  リビングルームで幼児が積み木やその他小さな遊具を多数広げて遊ぶ場合があるが、それらの片付けには手間がかかり、例えば、急な来客があった場合には困ってしまう。また、作業現場において小さな部品や工具を広げ作業を行っている場合にも、それらの片付けには手間がかかる。
【考案の概要】
【考案が解決しようとする課題】
【０００３】  この考案は上記の事情に鑑みて行ったもので、使用中の小物品の収納が容易に行われ、家庭において、また、作業現場等において便利に使用される収納具を提供することを目的とする。
【課題を解決するための手段】
【０００４】  この考案では、横長で内部を収納空間とし、かつ、その長手方向に沿って横長の開口部を備えるバッグ部と、前記バッグ部の前記開口部の下縁に沿って外方に延び出すように設けられ、その上面に載置される物品を包み状態とできるシート部からなり、前記物品を包み状態とした前記シート部が、前記開口部を通して前記収納空間内に収納されることを特徴とする収納具を提供する。【０００５】  この考案の収納具によれば、シート部の上面に載置される物品を包み状態として開口部を通してバッグ部の収納空間内に収納でき、とくに、多数ある小物品をシート部に包んでそのまま収納部内に収納できる。収納された物品はシート部に包まれ状態でバラつくことがない。バッグ部は収納空間を備えるものであれば適宜の形態であってよい。シート部はその上面に物品が載置されるに十分な広さを有るものであれば適宜の形状であってよい。収納具のバッグ部は立体形態を保つようにある程度の剛性を持つ材料により構成されることが好ましく、シート部は物品を包み状態とできるように柔軟性を持つ材料により構成されることが好ましく、これら観点から収納具は全体が厚手で若干の剛性を持つプラスチックシートにより制作されることが好ましい。【０００６】  バッグ部の開口部が面ファスナーにより閉じられる構成とされることで、物品をバッグ部内に安定収納できるようになる。【０００７】  バッグ部に持ち手が設けられる構成とすることで、収納状態である収納具を一般のバッグと同様に持ち運びできる。【０００８】  シート部に物品を包み状態とするための折り畳み線が設けられる構成とすることで、その折り畳み線をガイドとして折り畳むことで容易に物品をシート部に包むことができる。
【考案の効果】
【０００９】  この考案の収納具を使用することで、使用中の小物品等の収納が容易に行えるようになる。この考案の収納具は幼児のいる家庭において、また、各種の作業現場等において便利に使用される。
【図面の簡単な説明】
【００１０】
【図１】  この考案の収納具の実施形態の開き使用時の外観斜視図
【図２】  この考案の収納具の実施形態の収納使用時の外観斜視図
【図３】  この考案の収納具の実施形態の収納説明図
【図４】  この考案の収納具の実施形態の収納説明図
【図５】  この考案の収納具の実施形態の収納説明図
【考案の好ましい実施形態】
【００１１】  図１は収納具の実施形態の開き使用時の外観斜視図、図２は同収納使用時の外観斜視図である。収納具１は全体が厚手で若干の剛性を持つプラスチックシートにより構成されており、バッグ３部とシート部５とからなり、バッグ部３の横幅寸法Ｌ１を８０ｃｍ、直径寸法Ｌ２を３５ｃｍ、シート部５の長さ寸法Ｌ３を１００ｃｍ、横幅寸法Ｌ４を１６０ｃｍとしている。
【００１２】  バッグ部３は横長の円筒形態で内部を収納空間４とし、周面の前面にその長手方向に沿って横長の開口部７を備え、開口部７の上縁の外面に沿って面ファスナー９が取り付けられ、両側面８の外面には持ち手６のそれぞれが取り付けられている。
【００１３】  シート部５はその基部１１がバッグ部３の開口部７を下縁に連続し、開口部７と同幅の中央部１２とその中央部１２の両側に連続する側部１３のそれぞれとから構成され、中央部１２の前後方向における中間位置と中央部１２と側部１３それぞれとの境界位置には、ミシン縫製による折り畳み線１５のそれぞれが設けられている。また、中央部１２外面の折り畳み線１５の前側位置に沿って面ファスナー１８が取り付けられている。
【００１４】  次に、収納具１の収納機能について図３から図５を用いて説明する。収納具１は、例えばリビングルームに図１に示す状態に配置され、その広げられたシート部５上とその周辺とが幼児の遊びスペースとなり、そのスペースに各種の遊具（物品）３０が散乱する状態に位置する。それら遊具３０を収納する際には、まずスペースにある全ての遊具３０を、図３に示すように、シート部５の中央部１２の略中央位置上に集め、次に、シート部５の側部１３それぞれをそれら遊具３０を覆うように中央部１２上に折り畳み、さらに、図３、図４に示すように、中央部１２の外側部１６を折り畳んだ側部１３それぞれとともに内側部１４上に折り畳み、このようにして内部に遊具３０を包み込んだシート部５の面ファスナー１８をバッグ部３の面ファスナー９に当接して連結させる。これにより、図５に示すように、全ての遊具３０はシート部５に包まれた状態においてバッグ部３の収納空間４内に収納され、持ち手６を持つことで一般のバッグと同様に持ち運びされる。
【００１５】  上記のようにして、短時間において容易に散乱する遊具３０の収納が行え、かつ、その収納状態において所望の位置に移動することができる。また、遊具３０が収納された収納具１を所望の位置で開きシート部５を広げることで遊具３０の使用が行え、そこに遊びスペースが容易に確保され、屋外においても便利に使用される。
【符号の説明】
【００１６】１    収納具
３    バッグ部
４    収納空間
５    シート部
７    開口部
３０  遊具（物品）
【図１】
0003195435.tif 000003
【図２】
0003195435.tif 000004
【図３】
0003195435.tif 000005
【図４】
0003195435.tif 000006
【図５】
0003195435.tif 000007